(57)【要約】【課題】  ユーザに不快感を与えないカメラを提供すること。【解決手段】  レリーズ操作に応じて第１の周期のパルス列でアクチュエータを通電する。このアクチュエータにより駆動されるシャッタ羽根の回動による開口の開き始めを検出し、さらに全開検出センサでシャッタ開口の全開状態を検出したら、第２の周期のパルス列でアクチュエータを通電する。このとき第２の周期を第１の周期よりも短くし、第２の周期の逆数からなる周波数を実質的に可聴周波数外の周波数になるように第２のパルス列でアクチュエータを通電する。さらに所定の光量が得られたら、アクチュエータを逆極性で通電してシャッタ羽根を閉じ方向に駆動する。【選択図】  図４
2005055802.tif 000002
【特許請求の範囲】
【請求項１】
光量を規制するシャッタを介して取り込まれた被写体光を捉えることにより撮影を行なうカメラにおいて、
前記シャッタが、
開閉自在なシャッタ羽根と、
パルス列状の通電を受けて、前記シャッタ羽根を、閉状態から、該パルス列を構成するパルスのデューティ比に応じた速度で開放させ、全開後は該通電により全開状態に保持させるアクチュエータと、
前記アクチュエータに、所定の第１の周期の第１のパルス列状の通電を行なうことにより、該アクチュエータに、前記シャッタ羽根を、閉状態から所定の速度で開放させるべく駆動させるとともに、全開後は、前記第１の周期よりも短い所定の第２の周期の第２のパルス列状の通電を行なうことにより、該アクチュエータに、該シャッタ羽根を全開状態に保持させるシャッタ駆動制御部とを備えたことを特徴とするカメラ。
【請求項２】
前記シャッタ駆動制御部は、前記アクチュエータに、前記第１の周期の逆数からなる繰り返し周波数が可聴周波数帯域内の周波数である第１のパルス列状の通電を行なうことにより、該アクチュエータに、前記シャッタ羽根を、閉状態から所定の速度で開放させるべく駆動させるとともに、全開後は、前記第２の周期の逆数からなる繰り返し周波数が実質的に可聴周波数帯域を越えた周波数である第２のパルス列状の通電を行なうことにより、該アクチュエータに、該シャッタ羽根を全開状態に保持させるものであることを特徴とする請求項１記載のカメラ。
【請求項３】
前記シャッタ駆動制御部は、前記アクチュエータに、前記シャッタ羽根を開放させるときに通電するパルス列の極性とは逆の極性の通電を行なうことにより、該アクチュエータに、前記シャッタ羽根を閉じ方向に駆動させるものであることを特徴とする請求項１記載のカメラ。
【発明の詳細な説明】
【技術分野】
【０００１】
本発明は、光量を規制するシャッタを介して取り込まれた被写体光を捉えることにより撮影を行なうカメラに関する。
【背景技術】
【０００２】
カメラには被写界輝度やフィルム感度に応じて、絞りとシャッタ速度の組み合わせが設定され、シャッタ羽根が駆動されるものがある。このような機構を持つシャッタをプログラムシャッタと呼ぶ。このプログラムシャッタの中には、絞り兼用のシャッタをアクチュエータにより駆動するものもある。また絞り兼用シャッタを備え、撮影時のカメラの状態たとえば電源電圧や周囲温度などを検知して絞りとシャッタ速度の組み合わせに補正を加えてシャッタ羽根を駆動するものがある（例えば特許文献１、２、３参照）。これらの特許文献のものではパルス列状の通電を受けて、そのパルス列を構成するパルスのデューティ比に応じた速度でシャッタ羽根を開放させ、所望のシャッタ速度を得ている。またシャッタ羽根の開閉時間によって絞りが決定される。
【０００３】
ところで、パルスの繰り返し周期の設定によってはパルス列の繰り返し周期の逆数が実質的に可聴周波数帯域内に入ってしまい、耳障りな音が生じてしまうことがある。上記いずれの特許文献に記載されたカメラにおいても、パルスの繰り返し周期の設定によっては不快な音が生じ、ユーザに不快感を与えることが懸念される。
【特許文献１】特開平７−３３３６８３号公報
【特許文献２】特開昭５５−９６９２５号公報
【特許文献３】特許第２８４３８６６号公報
【発明の開示】
【発明が解決しようとする課題】
【０００４】
本発明は、上記事情に鑑み、ユーザに不快感を与えないカメラを提供することを目的とする。
【課題を解決するための手段】
【０００５】
上記目的を達成する本発明のカメラは、光量を規制するシャッタを介して取り込まれた被写体光を捉えることにより撮影を行なうカメラにおいて、
上記シャッタが、
開閉自在なシャッタ羽根と、
パルス列からなる通電を受けて、上記シャッタ羽根を、閉状態から、そのパルス列を構成するパルスのデューティ比に応じた速度で開放させ、全開後はその通電により全開状態に保持させるアクチュエータと、
上記アクチュエータに、所定の第１の周期の第１のパルス列の通電を行なうことにより、そのアクチュエータに、上記シャッタ羽根を、閉状態から所定の速度で開放させるべく駆動させるとともに、全開後は前記第１の周期よりも短い所定の第２の周期のパルス列の通電を行なうことにより、そのアクチュエータに、そのシャッタ羽根を全開状態に保持させるシャッタ駆動制御部とを備えたことを特徴とする。
【０００６】
本発明のカメラによれば、長秒時のレリーズが行なわれ、上記シャッタ羽根を上記アクチュエータに全開後も保持させるときに、そのシャッタ羽根を所定の速度で開放させるための第１の周期の第１のパルス列よりも短い第２の周期のパルス列の通電を上記シャッタ駆動制御部に行なわせる。
【０００７】
たとえば、上記第１の周期の逆数からなる繰り返し周波数が可聴周波数帯域であったとすると、第１の周期よりも短い第２の周期の通電を上記シャッタ駆動制御部に行なわせて、その第２の周期の逆数からなる繰り返し周波数を実質的に可聴周波数帯域外にすることができる。そうすると長秒時のレリーズが行なわれても耳障りな音を生じさせることなく、ユーザに不快感を与えることもなくなる。
【０００８】
ここで、上記シャッタ駆動制御部は、上記アクチュエータに、上記第１の周期の逆数からなる繰り返し周波数が可聴周波数帯域内の周波数である第１のパルス列の通電を行なうことにより、そのアクチュエータに、上記シャッタ羽根を、閉状態から所定の速度で開放させるべく駆動させるとともに、全開後は、上記第２の周期の逆数からなる繰り返し周波数が実質的に可聴周波数帯域を越えた周波数である第２のパルス列の通電を行なうことにより、そのアクチュエータに、そのシャッタ羽根を全開状態に保持させるものであることが好ましい。
【０００９】
さらに上記シャッタ駆動制御部は、上記アクチュエータに、上記シャッタ羽根を開放させるときに通電するパルス列の極性とは逆の極性の通電を行なうことににより、そのアクチュエータに、上記シャッタ羽根を閉じ方向に駆動させるものであることが望ましい。
【００１０】
そうすると、シャッタの開閉状態を絞りとシャッタ速度に応じて正確に制御することができる。
【発明の効果】
【００１１】
本発明のカメラによれば、ユーザに不快感を与えないカメラを提供することができる。
【発明を実施するための最良の形態】
【００１２】
以下図面を参照して本発明の実施の形態を説明する。
【００１３】
以下、本発明の実施形態を、図１を参照して説明する。
【００１４】
図１は、本実施形態のカメラの外観を示す斜視図である。
【００１５】
カメラボディ１ａの中央にはレンズ鏡胴１１が備えられており、そのレンズ鏡胴内には撮影レンズ１１ａが内蔵されている。そのレンズ鏡胴１１の上方には被写界輝度検出用の測光窓１３が設けられており、この測光窓１３から入光した光がカメラ内部にある測光装置に導かれるようになっている。また測距用の投受光窓なども備えられており、その投受光窓の側方には閃光発光窓も備えられている。
【００１６】
カメラボディ１ａの上面には撮影操作を行なうためのレリーズ釦１２が備えられている。
【００１７】
図２（ａ），図２（ｂ）は図１のカメラ内に配備されたシャッタ１０の構成を示す図である。図２（ａ）には２つのシャッタ羽根１４ａ，１４ｂがシャッタ開口１０ａを覆った状態が示されており、また図２（ｂ）には２つのシャッタ羽根１４ａ，１４ｂ双方をアクチュエータにより回動してシャッタ開口１０ａを開放させる途中の状態が示されている。
【００１８】
図２（ａ）に示すように、このシャッタ１０は、シャッタ開口１０ａを有するシャッタ保持部１０ｂと、そのシャッタ保持部１０ｂに回動自在に保持されている２つのシャッタ羽根１４ａ，１４ｂとその回動自在な２つのシャッタ羽根１４ａ，１４ｂを回動させるアクチュエータとなるムービングマグネットモータ１５とからなる。
【００１９】
図２（ａ）では２つのシャッタ羽根１４ａ，１４ｂ双方がシャッタ開口１０ａを覆うように配設されている状態が示されている。それらのシャッタ羽根１４ａ，１４ｂを回動させ、シャッタ開口１０ａを開放させるためのムービングマグネットモータ１５が双方のシャッタ羽根１４ａ，１４ｂを回動することができる位置に配設されている。このムービングマグネットモータには駆動ピン１５ａが延設されており、その駆動ピン１５ａがシャッタ保持部１０ｂにある長孔１６を介して２つのシャッタ羽根１４ａ，１４ｂの端部それぞれにある貫通孔に嵌挿されている。この駆動ピン１５ａが上記ムービングマグネットモータ１５の通電状態によって図２（ａ）から図２（ｂ）に示すように長孔１６に沿って動き、図２（ｂ）に示すように双方のシャッタ羽根１４ａ，１４ｂが図示しないガイドに沿って回動し始め、シャッタ開口１０ａが開放され始める。このムービングマグネットモータにより駆動されるシャッタ羽根の開き始めを検出するため、開き始め検出センサ１０ｃ（図２（ａ）の右側にその構成の詳細が示されている）がシャッタ保持部１０ｂに設けられている。この開き始め検出センサ１０ｃはフォトリフレクタ１０１ｃと反射板１０２ｃとからなるものでシャッタ羽根１４ｂに設けられた遮光部１４１ｂがそのフォトリフレクタ１０１ｃと反射板１０２ｃとの間を通過したときにシャッタ羽根１４ａ，１４ｂが開き始めたことを示す信号をフォトリフレクタ１０１ｃから出力するものである。またシャッタ保持部１０ｂには、同様の構成の全開検出センサ１０ｄも設けられており、この全開検出センサ１０ｄはムービングマグネットモータ１５により駆動されたシャッタ羽根１４ａ，１４ｂが全開位置に達してシャッタ羽根１４ｂの遮光部１４１ｂがその全開検出センサ１０ｄ部分に位置したときに全開を示す信号を出力するものである。
【００２０】
ムービングマグネットモータ１５は後述するシャッタ駆動制御部から出力されるパルス列状の通電を受けて、２つのシャッタ羽根１４ａ，１４ｂを、シャッタ開口１０ａの閉状態から、パルス列を構成するパルスのデューティ比に応じた速度でシャッタ開口１０ａを開放させるものであり、また、そのパルス列の極性とは逆の極性の通電をシャッタ駆動制御部から受けて、双方のシャッタ羽根１４ａ，１４ｂを閉じ方向に駆動するものである。
【００２１】
図３はカメラ１内部に配備された信号処理部の中のシャッタ系統の信号処理構成を示す図である。
【００２２】
このカメラ１が備えるシャッタはプログラムシャッタであり、そのプログラムシャッタはシャッタ駆動制御部１７とアクチュエータ（ムービングマグネットモータ）１５とからなる。シャッタ駆動制御部１７内には測光装置１８からの測光結果に応じて絞りとシャッタ速度を決定するプログラムが配備されており、このプログラムにしたがってアクチュエータ１５が駆動され、フィルムに適正光量を与えるようにシャッタ羽根１４ａ，１４ｂが駆動される。
【００２３】
またシャッタ駆動制御部１７にはＤＸコード読取部１９からフィルムの感度情報も供給されており、この感度情報に応じても絞りとシャッタ速度の組み合わせが上記プログラムにより適宜選択されるようになっている。
【００２４】
本実施形態のカメラ１では、このシャッタ羽根１４ａ，１４ｂを開放させるときの速度を的確に制御するために、シャッタ羽根１４ａ，１４ｂが回動され、シャッタ開口１０ａが開き始めたことを検出する開き始め検出センサ１０ｃと、シャッタ羽根１４ａ，１４ｂが回動され、シャッタ開口１０ａが全開になったことを検出する全開検出センサ１０ｄとからの出力信号がそれぞれ供給されている。
【００２５】
このカメラ１で長秒時のレリーズが行なわれたときのシャッタ駆動制御部１７の処理を、図４を参照して説明する。
【００２６】
図４は長秒時露光を行なうときのシャッタ駆動制御部１７の処理タイミングを示すタイミングチャートである。
【００２７】
図４（ａ）はシャッタ駆動制御部１７からアクチュエータ１５に供給されるパルス列を示す図、図４（ｂ）はシャッター開口１０ａの開口状態を示す図、図４（ｃ）はシャッタ開口１０ａの開き始めをシャッタ羽根１４ａ，１４ｂの動きによりセンサ１０ｂ，１０ｃによって検出したときの検出状態を示す図、また図４（ｄ）はシャッタ開口１０ａの全開状態をシャッタ羽根の動きにより全開検出センサ１０ｃで検出したときの状態を示す図である。
【００２８】
図４（ａ）では、シャッタ駆動制御部１７は、アクチュエータ１５のコイルに、第１の周期ｔ０の逆数からなる繰り返し周波数ｆｈが可聴周波数帯域内の周波数である第１のパルス列状の通電を行なうことにより、アクチュエータ１５に、２つのシャッタ羽根１４ａ，１４ｂを、閉状態から所定の速度で開放させるべく駆動させるとともに、全開後は、第２の周期ｔｈの逆数からなる繰り返し周波数ｆｈが実質的に可聴周波数帯域を越えた周波数である第２のパルス列状の通電を行なうことにより、２つのシャッタ羽根を全開状態に保持させた例が示されている。
【００２９】
前述したように、デューティ比を調整して図４（ｂ）に示す傾きＡを得たいときにはシャッタ速度の調整精度（設定分解能）を上げるため、繰り返し周期の設定が可聴周波数帯域内の第１の周期のパルス列になることが多い。このような場合に長秒時のレリーズが行なわれると、シャッタ羽根１４ａ，１４ｂの全開後に第１の周期のパルス列での通電が続けられてシャッタ羽根１４ａ，１４ｂが保持されてしまうため耳障りな音が生じてしまう。そこで、図４（ａ）に示すようにシャッタ羽根１４ａ，１４ｂの全開後、シャッタ羽根１４ａ，１４ｂを全開状態に保持するときにはその第１の周期のパルス列よりも短い第２の周期のパルス列で通電を行なっている。
【００３０】
ここでは、図４（ｃ）、図４（ｄ）に示すように開き始め検出センサ１０ｃと全開検出センサ１０ｄを用いて、アクチュエータによりシャッタ羽根が駆動されたかどうかが検出されているので、シャッタ駆動制御部１７は双方のセンサ１０ｃ，１０ｄで検出を行なってから、第１の周期よりも短い周期にパルス列の周期を変更して、第２の周期のパルス列でアクチュエータの通電を行なうようにしている。可聴周波数は一般に２０Ｈｚ〜２０ｋＨｚとされており、本実施例の第２の周期に対応する周波数は２０ｋＨｚを超えた周波数、例えば３０ｋＨｚとしている。
【００３１】
このように第２の周期の逆数からなる周波数ｆｈを実質的に可聴周波数帯域外にすることで、アクチュエータ１５によりシャッタ羽根１４ａ，１４ｂを全開状態に保持させても、耳障りな音を生じさせることがなくなる。
【００３２】
なお、図４（ａ）〜図４（ｄ）では確実を期すため、開き始め検出センサ１０ｂでシャッタ羽根１４ａ，１４ｂの開き始めを検出してから時間ｔ２後、また全開検出センサ１０ｃでシャッタ羽根１４ａ，１４ｂの全開を検出してから時間ｔ３後に第２の周期への変更を行なっているが、全開検出センサ１０ｃでシャッタ羽根１４ａ，１４ｂが全開されたことが検出された後、すぐに第２の周期のパルス列に変更しても良い。
【００３３】
また、全開検出センサを設けずに開き始め検出センサ１０ｃだけ設けて、シャッタ羽根１４ａ，１４ｂの開き始めから全開となるに十分な時間経過後、第２の周期のパルス列でアクチュエータ１５のコイルを通電する構成にしても良い。また開き始め検出センサ１０ｃも設けず、開放駆動開始後、全開となるに十分な時間を経過した後、第２の周期のパルス列でアクチュエータ１５のコイルを通電する構成にしても良い。
【００３４】
また、図４（ａ）にはシャッタ羽根１４ａ，１４ｂの閉じ方向への駆動を行なうときに逆極性のパルスでアクチュエータが駆動されていることが示されている。
【００３５】
シャッタ駆動制御部１７は、シャッタ速度に応じた開放速度でシャッタ羽根１４ａ，１４ｂをアクチュエータ１５に駆動させるとともに、絞りに応じて閉じ方向にもシャッタ羽根１４ａ，１４ｂをアクチュエータ１５に駆動させる必要があるため、図４（ａ）に示すようにアクチュエータ１５のコイルに、シャッタ羽根１４ａ，１４ｂを開放させるときのパルス列の極性とは逆極性でしかもＤＣの通電を行なってシャッタ羽根１４ａ，１４ｂを閉じ方向に駆動している。
【００３６】
図４（ｂ）には、その逆極性であってしかもＤＣの通電が行なわれたときに、シャッタ羽根１４ａ，１４ｂが閉じ方向に素早く駆動されてシャッタ開口１０ａが閉じられている状態も示されている。このようにすると、シャッタ羽根１４ａ，１４ｂをシャッタ速度と絞りの組み合わせに応じてアクチュエータ１５により自在に駆動することができる。この例では図４（ｃ）、図４（ｄ）に示すように開き始め検出センサ１０ｂと全開検出センサ１０ｃによりシャッタ羽根の閉じ方向への駆動状態も検出することができるので、シャッタ羽根１４ａ，１４ｂの開閉制御がシャッタ駆動制御部１７により確実に行なわれる。
【００３７】
このように、簡単な構成で正確にシャッタの開閉を制御することができ、フィルムに適正光量を与えることができるとともに、長秒時のレリーズが行なわれても耳障りな音を生じさせることなく、ユーザに不快感を与えることがない。
【図面の簡単な説明】
【００３８】
【図１】本実施形態のカメラを示す斜視図である。
【図２】図１のカメラに配備されたシャッタの構成を示す図である。
【図３】カメラ内に配備された信号処理部の構成を示す図である。
【図４】シャッタ駆動制御部の処理を示すタイミングチャートである。
【符号の説明】
【００３９】
１    カメラ
１０ａ    シャッタ開口
１０ｂ    シャッタ保持部
１０ｃ    開き始め検出センサ
１０ｄ    全開検出センサ
１１    レンズ鏡胴
１１ａ    撮影レンズ
１２    レリーズ釦
１３    測光窓
１４ａ  １４ｂ    シャッタ羽根
１４１ｂ    遮光部
１５    ムービングマグネットモータ（アクチュエータ）
１５ａ    駆動ピン
１７    シャッタ駆動制御部
１８    測光装置
１９    ＤＸコード読取部
【図１】
2005055802.tif 000003
【図２】
2005055802.tif 000004
【図３】
2005055802.tif 000005
【図４】
2005055802.tif 000006